(57)【特許請求の範囲】
【請求項１】
プリンタにより印刷可能かつ二つ折り可能であって、一方の面の周縁部に粘着性領域が形成された基材シートと、プリンタにより印刷可能で、かつ、切れ目によって第１および第２の２つの領域に切り離し可能とされた印字用シートとからなり、前記基材シートの前記一方の面に前記印字用シートを重ね合わせてなる封筒作成用シートであって、
前記基材シートの前記第２の領域と対応する部分の周縁部以外は非粘着性領域とされているとともに、前記印字用シートの前記第２の領域のうち少なくとも前記粘着性領域と対応する部分には前記第２の領域を前記基材シートから剥離可能とする剥離層が形成されており、
前記第２の領域を前記切れ目により前記第１の領域と切り離して前記基材シートから剥離することで露出させた前記粘着性領域を前記印字用シートの前記第１の領域に折り重ね可能としたことを特徴とする封筒作成用シート。
【請求項２】
前記基材シートのうち前記第１の領域と対応する部分には、前記切れ目に沿った部分を除いた三辺に前記粘着性領域が形成されて、その他の部分が非粘着性領域とされていることを特徴とする請求項１に記載の封筒作成用シート。
【請求項３】
前記非粘着性領域は、前記基材シートの一方の面の全面に粘着性領域を形成した後、その粘着性領域の粘着性を低下させる阻害物質を塗布することにより形成されていることを特徴とする請求項１又は請求項２に記載の封筒作成用シート。
【請求項４】
前記基材シートおよび印字用シートには、前記切れ目に沿った折り返し線により前記基材シートを前記印字用シートの第１の領域に折り重ねた場合の周縁部に沿って、前記粘着性領域の内側に位置する切断可能線が形成されていることを特徴とする請求項１ないし請求項３のいずれかに記載の封筒作成用シート。
【請求項５】
前記切断可能線は、前記周縁部のうち前記折り返し線およびその両側に位置する３辺に沿って形成されていると共に、前記印字用シートの前記３辺を除く残りの１辺には、前記粘着性領域が重ねられる領域の内側に位置する切断可能線が形成されていることを特徴とする請求項４に記載の封筒作成用シート。
【発明の詳細な説明】
【技術分野】
【０００１】
本発明は、給与袋等の封筒或いは納品書等を収容した封筒を作成するための封筒作成用シートに関するものである。
【背景技術】
【０００２】
従来、個人に手渡される給与明細の通知書は、一枚の用紙に印刷した給与明細書を封筒に収容した状態で配布するのが一般的である。このような形態のものは、給与明細書を封筒に収容する際に、明細書と封筒の氏名が間違わないように慎重な確認が必要であり、手間がかかる。或いは、給与明細書の氏名記載部分だけが窓枠状に開口された専用の封筒を利用する場合もあるが、専用の封筒を準備するのにコストがかかるという問題がある。また、給与明細書の会社側の控えも別途印刷しなければならず、面倒である。
【特許文献１】実用新案登録第3084782号
【発明の開示】
【発明が解決しようとする課題】
【０００３】
本発明は上記諸事情に鑑みてなされたものであって、内部に情報を印刷した封筒を容易に作成可能で、かつ、内部印刷情報の控えを簡単に作成することができる封筒作成用シートを提供することを目的とするものである。
【課題を解決するための手段】
【０００４】
上記課題を解決するための請求項１の封筒作成用シートは、プリンタにより印刷可能かつ二つ折り可能であって、一方の面の周縁部に粘着性領域が形成された基材シートと、プリンタにより印刷可能で、かつ、切れ目によって第１および第２の２つの領域に切り離し可能とされた印字用シートとからなり、前記基材シートの前記一方の面に前記印字用シートを重ね合わせてなる封筒作成用シートであって、前記基材シートの前記第２の領域と対応する部分の周縁部以外は非粘着性領域とされているとともに、前記印字用シートの前記第２の領域のうち少なくとも前記粘着性領域と対応する部分には前記第２の領域を前記基材シートから剥離可能とする剥離層が形成されており、前記第２の領域を前記切れ目により前記第１の領域と切り離して前記基材シートから剥離することで露出させた前記粘着性領域を前記印字用シートの前記第１の領域に折り重ね可能としたところに特徴を有する。
【０００５】
このようにすると、１枚の封筒作成用シートから、内部に情報が印刷された封筒と、所望の情報が印刷されて分離された控え紙片とを同時に作成することができる。すなわち、まず封筒作成用シートに例えば氏名と給与明細書とをプリンタによって印刷する。この印刷は、印字用シートの第１および第２の領域の２箇所に行われる。次に、印字用シートの第２の領域を切れ目によって第１の領域と切り離しつつ、基材シートから引き剥がす。このようにして基材シートから分離された印字用シートの第２の領域、すなわち、一方の給与明細書は、会社側の控えとできる。
【０００６】
一方、基材シートのうち印字用シートの第２の領域が剥がされた部分は、粘着性領域が露出された状態とされている。そこで、印字用シートの切れ目に沿って粘着性領域が印字用シートの第１の領域と向き合うように基材シートを折り曲げ、粘着性領域を印字用シートの第１の領域を覆うように重ね合わせて押し付けることにより、両者を接着する。これにより、基材シートが二つ折り状態の封筒となり、印字用シートの第１の領域に印刷された給与明細書部分は外部から見ることができなくなる。
【０００７】
なお、この時、例えば市県民税の決定通知書や源泉徴収票、あるいは現金等、同封するものがある場合には、印字用シートの第１の領域とそれを覆う基材シートとの間に挟んでから接着すればよい。このようにして、個人配布用の給与袋兼給与明細書が作成される。また、以上のように作成された封筒は、３つの周縁部を切り取ることにより、開封することができる。開封された封筒の内側に、給与明細書部分が現れる。
【００１０】
一方、印字用シートが剥がされた部分には粘着性領域が露出するから、その基材シートを二つ折りにして粘着性領域を他方の面に重ね合わせて押し付ければ、二つ折り状態の封筒となり、基材シートに印刷された給与明細書部分は外部から見ることができなくなる。
【００１１】
このように、請求項１の発明によれば、１枚のシートに印刷を行い、印字用シートを引き剥がして残りを折り曲げるという簡単な作業により、表示情報が封印されて個人へ配布できる形態の封筒と、控え紙片とを同時に作成することができる。
【００１２】
請求項２の発明は、請求項１に記載の封筒作成用シートであって、前記基材シートのうち前記第１の領域と対応する部分には、前記切れ目に沿った部分を除いた三辺に前記粘着性領域が形成されて、その他の部分が非粘着性領域とされているところに特徴を有する。このようにすると、基材シートと印字用シートの第１の領域とが重ね合わされている部分は、切れ目に沿った辺を除いた３つの周縁部だけが接着され、その他の部分は接着されていない状態となるから、袋状の収納部として利用することができる。すなわち、基材シートから印字用シートの第２の領域を引き剥がした後、例えば市県民税の決定通知書や源泉徴収票、あるいは現金等をこの袋状の収納部に収容することができる。
【００１３】
さらに請求項３の発明は、請求項１又は請求項２に記載の封筒作成用シートであって、前記非粘着性領域は、前記基材シートの一方の面の全面に粘着性領域を形成した後、その粘着性領域の粘着性を低下させる阻害物質を塗布することにより形成されているところに特徴を有する。なお、粘着性を低下させる阻害物質としては、それを印刷する印刷機に適したインクなら一般的なものでよく、色付きのインクや、無色のメジウム、剥離ニス等が使用可能である。また、この場合、色付きのインクを使用すると、封筒内部を外から透かし見ることが困難になるため、より好ましい。
【００１４】
このようにすると、封筒作成用シートの製造コストを安くすることができる。すなわち、部分的に粘着性領域を形成する場合には、一般的に、粘着剤をグラビア印刷により部分的に印刷せざるを得ないが、グラビア版は高価であるため、印刷コストが高くなる。これに対して、請求項３の発明のように、粘着剤を基材シートの一方の面の全面に印刷する場合にはグラビア印刷ではなく、凸版印刷、平版印刷、孔版印刷、フレキソ印刷等や、ロールコーター等の安価な塗布装置で印刷することができる。一方、阻害物質は、その塗液の粘性等から例えば、凸版印刷、平版印刷、孔版印刷、フレキソ印刷等の安価で一般的な印刷方法によって印刷可能であり、２回の印刷工程が必要としても、総合的な印刷コストはグラビア印刷よりも安価にできる。
【００１５】
請求項４の発明は、請求項１ないし請求項３のいずれかに記載の封筒作成用シートであって、前記基材シートおよび印字用シートには、前記切れ目に沿った折り返し線により前記基材シートを前記印字用シートの第１の領域に折り重ねた場合の周縁部に沿って、前記粘着性領域の内側に位置する切断可能線が形成されているところに特徴を有する。
【００１６】
また、請求項５の発明は、請求項４に記載の封筒作成用シートであって、前記切断可能線は、前記周縁部のうち前記折り返し線およびその両側に位置する３辺に沿って形成されていると共に、前記印字用シートの前記３辺を除く残りの１辺には、前記粘着性領域が重ねられる領域の内側に位置する切断可能線が形成されているところに特徴を有する。
【００１７】
上記請求項４および請求項５の発明によれば、切断可能線に沿って基材シート及び印字用シートを切断すれば、封筒を容易に開封することができる。特に、折り返し線およびその両側に位置する辺の３辺に切断可能線を設ける（請求項６の発明）と、封筒を確実に開封することが可能となる。また、印字用シートの上記３辺以外の１辺に、粘着性領域が重ねられる領域の内側に位置する切断可能線を形成することにより、その切断可能線に沿って印字用シートを切断することで、封筒内の印字用シートから特定の領域を切り離すことができるから、最小限の寸法・厚さになって保管に好都合となる。
【発明を実施するための最良の形態】
【００２０】
＜第１実施形態＞
以下、本発明を具体化した第１実施形態について図１ないし図１０を参照して説明する。
本実施形態の給与袋作成用シート１０は、図３に示すように、基材シート１１と印字用シート２０とを重ね合わせてなる、Ａ４版の大きさのシートである。
【００２１】
基材シート１１は例えば紙製であり、図１に示すように、一方の面の４つの周縁部に、幅約２ｃｍの粘着性領域１２が形成されている。この粘着性領域１２は、例えば、基材シート１１の片面の全面に平版式印刷等によって粘着剤を塗布して粘着性領域を形成した後、この粘着性領域のうち周縁部幅２ｃｍを除いた内側領域に、平版用のＵＶ硬化型の色付きインクを平板印刷によって印刷することで形成したものである。全面に形成した粘着性領域のうち、周縁部を除いた内側領域に粘着性阻害物質に相当する平版用インクが印刷されることにより、その内側領域の粘着性が消失し、周縁部だけが粘着性を維持している。
【００２２】
また、基材シート１１の左右の二長辺に沿って、かつ各長辺の端縁から約２．５ｃｍだけ内側に入った位置には、基材シート１１の両側部を中央側の領域から切り離すための２本の第１のマイクロミシン目１３が形成されている。また、基材シート１１の長辺の長さ方向の中央より図１中やや下部には、短辺に沿った折り目１４（図中一点波線で表示）がミシン目によって形成されており、この折り目１４により、基材シート１１を粘着性領域１２が内側になる方向に折り曲げ可能とされている。さらに、この折り目１４に沿って、上下両側に１ｃｍ離れた位置に、２本の第２のマイクロミシン目１５，１５が左右方向に延びるように形成されている。
【００２３】
一方、上記印字用シート２０も、例えばプリンタによって印刷可能な紙製である。この印字用シート２０には、図２に示すように、基材シート１１とぴったり重ね合わせた際に基材シート１１の折り目１４に対応する位置に、ハーフカットの切れ目２４が形成されており、この切れ目２４により印字用シート２０は第１の領域２１および第２の領域２２の２つの領域に区分され、この切れ目２４により互いに分離可能とされている。また、印字用シート２０の第１の領域２１のうち、基材シート１１の第１および第２のマイクロミシン目１３，１５に対応する位置に、同じく第１および第２のマイクロミシン目２３，２５が前記マイクロミシン目１３，１５と同時に形成されている。さらに、印字用シート２０の第２の領域２２の基材シート１１に向き合う面側には、粘着剤によって粘着した状態でもそこから容易に剥離できる剥離層２６が形成されており（図９および図１０参照）、印字用シート２０を基材シート１１に重ねた状態から、印字用シート２０の第２の領域２２を基材シート１１から引き剥がし可能となっている。
【００２４】
次に、上述した本実施形態の給与袋作成用シート１０の使用方法について説明する。
給与袋作成用シート１０を使用する場合には、図４に示すように、まず印字用シート２０の第１の領域２１および第２の領域２２の２箇所に、それぞれ個人の給与明細書をプリンタによって印刷する。第１の領域２１は、給与の受取人のための領域であり、第２の領域２２は給与の支払者（会社）側のための領域である。なお、折り目１４は基材シート１１の縦方向の中央よりも下部寄りに形成されているから、印字用シート２０の第１の領域２１は第２の領域２２に比べて広くなり、折り目１４で折って二重に折り重ねると、第１の領域２１の一部が折り重なり部分から余剰部２１Ａとして、はみ出ることになる。したがって、その余剰部２１Ａに「給与明細書」と記載した表題等を印字することが好ましい。
【００２５】
印刷された給与袋作成用シート１０によって給与袋を作成するには、まず印字用シート２０の第２の領域２２の例えば角部を基材シート１１からつまみ上げ、切れ目２４に沿って第１の領域２１から切り離しつつ基材シート１１から引き剥がす（図５参照）。引き剥がされた第２の領域２２は、会社側の給与明細書の控えとして保管する。
【００２６】
基材シート１１は、この第２の領域２２が引き剥がされたことにより、その粘着性領域１２の一部（印字用シート２０の第２の領域２２に対応する部分）が露出される。
【００２７】
またこの時、基材シート１１と、印字用シート２０の第１の領域２１とは、３つの周縁部が粘着性領域１２により閉じられている一方、折り部１４に沿った部分は開いた状態とされているため、袋状の収納部１６として利用することもできる（図６参照）。すなわち、例えば、住民税額の通知書等の書類や給与（現金）等、給与明細書に同封するものがある場合には、この収納部１６に収容することができる。
【００２８】
次に、基材シート１１を露出された粘着性領域１２が内側となるように折り部１４に沿って折り曲げ、粘着性領域１２を印字用シート２０の第１の領域２１に重ね合わせるとともに押し付けることにより、基材シート１１と印字用シート２０とを接着させる（図７参照）。これにより、印字用シート２０の第１の領域２１に印刷された個人情報（給与明細書）は外部から見えないように保護される。また、印字用シート１１の第１の領域２１の上端部付近に印刷された部署や氏名等は、外部から目視可能である。
【００２９】
このような給与袋作成用シート１０によって作成された封筒を受取り、開封する場合には、封筒の３つの周縁部を第１のマイクロミシン目１３および第２のマイクロミシン目１５に沿って他の領域から切り離せばよい（図８参照）。
【００３０】
このように、本実施形態の給与袋作成用シート１０によれば、１枚のシートに印刷を行い、印字用シート２０の一部（第２の領域２２）を基材シート１１から剥ぎ取って、残存したシートを折り曲げるという簡単な作業により、個人に配布用の給与袋兼給与明細書と会社側の給与明細書の控えとを作成することが可能である。また、住民税額等の通知がある場合や、給与（現金）を直接渡す場合には、収納部１６に収納することが可能であり、別個の封筒が不要である。なお、それらの通知書や現金等を収納するには、必ずしも収納部１６内に納めなくとも、印字用シート２０の上に基材シート１１を折り返すときに、両者間に納めることもできる。
【００３１】
＜第２実施形態＞
次に、本発明の第２実施形態について図１１ないし図１４を参照して説明する。上記第１実施形態と同様の部分は、説明を省略する。
【００３２】
本実施形態の給与袋作成用シート３０も上記第１実施形態と同様に、基材シート３１と印字用シート４０とを重ね合わせてなるＡ４版のシートである。
【００３３】
基材シート３１は、図１１に示すように、後述する印字用シート４０の第１の領域４１に対応する部分の全体と、印字用シート４１の第２の領域４２に対応する部分の周縁部に粘着剤を印刷して粘着性領域３２が形成されている点が、上記第１実施形態の基材シート１１とは異なる。この粘着性領域３２は、グラビア印刷によって粘着剤を部分的に印刷してもよいし、前記第１実施形態と同様に全面に粘着剤を印刷した後、第２の領域４２の周縁部を残して粘着性阻害物質を印刷してもよい。
【００３４】
また、印字用シート４０は、図１２に示すように、上記第１実施形態の印字用シート２０と概ね同様であるが、基材シート３１と向きあう面側に形成されている剥離層４６が、印字用シート４０の第２の領域４２のうち、基材シート３１の粘着性領域３２と対応する部分（第２の領域４２の周縁部）だけに形成されているところが、上記第１実施形態とは異なる。その他の構造は、前記第１実施形態と同様であり、重複する説明を省略する。
【００３５】
さて、本実施形態の給与袋作成用シート３０を使用する場合も、上記第１実施形態と同様に、印字用シート４０の第１の領域４１および第２の領域４２の２箇所に、給与明細書をプリンタによって印刷し、印字用シート４０の第２の領域４２を基材シート３１から引き剥がす。引き剥がされた第２の領域４２は、会社側の給与明細書の控えとして保管する。一方、基材シート３１のうち第２の領域４２に対応する部分は、４つの周縁部に粘着性領域３２が露出された状態となる。
【００３６】
次に、基材シート３１を露出された粘着性領域３２が内側となるように折り部３４に沿って折り曲げ、粘着性領域３２を印字用シート４０の第１の領域４１に重ね合わせて接着させる。なおこの時、住民税額の通知書等の書類や給与（現金）等、給与明細書に同封するものがある場合には、印字用シート４０の第１の領域４１とそれを覆う基材シート３１との間に挟むことができる。
【００３７】
また、本実施形態の給与袋作成用シート３０によって作成された封筒を開封する場合にも、上記第１実施形態と同様に、封筒の３つの周縁部を第１のマイクロミシン目３３および第２のマイクロミシン目３５に沿って他の領域から切り離せばよい（図１４参照）。
【００３８】
＜第３実施形態＞
図１５は請求項２の発明を具体化した第３実施形態を示す。ここでは、印字用シート６０が、基材シート５１の約半分程度の大きさとされている点が前記第１実施形態と相違する。基材シート５１のうち二つ折りするための折り目５４の下半分の面に、その周縁部に粘着性領域５２が形成され、ここに印字用シート６０が貼り付けられている。封筒作成用シート５０に印刷する際には、基材シート５１の上半分の領域と印字用シート６０との２カ所に例えば給与明細等が印字される。その後、印字用シート６０を剥がせば、粘着性領域５２が露出し、基材シート５１を二つ折りにして封筒にすることができる。
【００３９】
＜第４実施形態＞
本発明の第４実施形態について図１６ないし図１９を参照して説明する。本実施形態の封筒作成用シート７０は、封筒入りの納品書に適用させたものであり、図１６に示すように、基材シート７１と印字用シート８０とを重ね合わせてなるＡ４版のシートである。
【００４０】
この封筒作成用シート７０においては、印字用シート８０に、第３のマイクロミシン目８７が形成されており、この点が上記第１実施形態とは異なる。この第３のマイクロミシン目８７は、印字用シート８０の第１の領域８１のうち、基材シート７１の露出された粘着性領域７２が折り重ねられる領域の内側約０．５ｍｍの位置に、図中左右に延びるように形成されている。
【００４１】
なお、本実施形態においても、折り目７４は印字用シート８０の縦方向の中央よりも下部寄りに形成されているから、第１の領域８１は第２の領域８２に比べて広くなり、折り目７４で折って二重に折り重ねると、第１の領域８１の一部が折り重なり部分から余剰部８１Ａとして、はみ出ることになる。そこで、その余剰部８１Ａに例えば「納品書」等の表題や日付、宛先等を印字することが好ましい。
【００４２】
本実施形態の封筒作成用シート７０を使用する場合には、印字用シート８０の第１の領域８１に納品書の内容を、第２の領域８２には例えば売上伝票の内容をプリンタによって印刷する。印字用シート８０の第２の領域８２に印刷した売上伝票は、封筒として閉じる前に基材シート７１から引き剥がして控えとすることができる（図１７参照）。売上伝票を剥がした後、露出された粘着性領域７２が内側となるように折り目７４に沿って折り曲げ、粘着性領域７２を印字用シート８０の第１の領域８１に重ね合わせて接着させる。この時、例えば営業日案内等の同封すべき他の書類がある場合には、印字用シート８０の第１の領域８１と基材シート７１との間に挿入することができる。
【００４３】
このような封筒を開封する場合には、上記第１実施形態と同様に、封筒の３つの周縁部を、第１のマイクロミシン目７３（８３）および第２のマイクロミシン目７５（８５）に沿って他の領域から切り離す（図１８参照）。これにより、基材シート７１により覆われた印字用シート８０の第１の領域８１に印刷された情報（納品書）を見ることができる。さらに、第３のマイクロミシン目８７により納品書を他の部分から切り離すことにより、不要部分を簡単に除去することができ（図１９参照）、納品書を保管する場合に好都合である。
【００４４】
このように、本実施形態の封筒作成用シート７０によれば、必要部分を不要部分から容易に切り離すことができるため、印刷された情報を保管したい場合に便利である。
【００４５】
＜他の実施形態＞
本考案は上記記述及び図面によって説明した実施形態に限定されるものではなく、例えば次のような実施形態も本考案の技術的範囲に含まれ、さらに、下記以外にも要旨を逸脱しない範囲内で種々変更して実施することができる。
【００４６】
（１）上記実施形態では、給与袋作成用紙をＡ４サイズとしたが、サイズは特に限定されず、例えば、Ａ３、Ａ５、Ａ６、Ｂ４、Ｂ５等の用紙であってもよい。
【００４７】
（２）上記実施形態では、各切断可能線をマイクロミシン目としたが、切断可能であればマイクロミシン目に限定されない。
【００４８】
（３）基材シートおよび印字用シートの材質は、特に限定されない。例えば、印字用シートには、コ−ト紙、上質紙、クラフト紙、微塗工紙、サ−マル紙その他の紙類が使用できる。
【００４９】
（４）上記実施形態では、給与袋の作成用シートを例に取って説明したが、これに限らず、基材シートの裏側に印刷、手書き、タック貼着等によって宛先を記載して一般の通信用の封筒として利用してもよいことはもちろんである。
【００５０】
（５）上記各実施形態では、印字用シート２０，４０，８０の第１の領域２１，４１，８１は第２の領域２２，４２，８２よりも広くなるようにして余剰部２１Ａ，４１Ａ，８１Ａが形成されるようにしたが、これに限らず、折り目１４，３４，７４を縦方向の中央に形成して両領域を同一の大きさにしてもよい。また、余剰部２１Ａ，４１Ａ，８１Ａが形成されるとしても、その部分を折り返した印字用シート２０，４０，８０の上に更に折り重ねて接着したり、切り離したりしてもよい。このようにすれば、封書サイズを定型サイズとすることもでき、有利に郵送することができるようになる。
【００５１】
（６）上記各実施形態では、封筒の周縁部のうち３つの辺に沿ってマイクロミシン目を設け、容易に開封できるようにしたが、これに限らず、マイクロミシン目を折り目に沿う１辺だけに設けたり、互いに向き合う２辺に設けたり、あるいは全周に設けたりする構成としてもよい。
【図面の簡単な説明】
【００５２】
【図１】本発明の第１実施形態の給与袋作成用シートの基材シートの平面図
【図２】同じく印字用シートの平面図
【図３】同じく給与袋作成用シートの分解平面図
【図４】同じく印字用シートに印刷を行った場合を示す平面図
【図５】同じく基材シートから印字用シートの第２の領域を引き剥がした場合を示す平面図
【図６】同じく収納部に書類を入れる場合を示す斜視図
【図７】同じく給与袋が完成した状態を示す平面図
【図８】同じく給与袋を開封した状態を示す斜視図
【図９】同じく給与袋作成用シートを使用する場合を示す断面工程図
【図１０】同じく給与袋作成用シートを使用する場合を示す断面工程図
【図１１】本発明の第２実施形態の給与袋作成シートの基材シートの平面図
【図１２】同じく印字用シートの平面図
【図１３】同じく基材シートから印字用シートの第２の領域を引き剥がした場合を示す平面図
【図１４】同じく給与袋を開封した状態を示す斜視図
【図１５】本発明の第３実施形態を示す平面図
【図１６】本発明の第４実施形態の封筒作成用シートの分解平面図
【図１７】同じく基材シートから印字用シートの第２の領域を引き剥がした場合を示す平面図
【図１８】同じく封筒を開封した状態を示す斜視図
【図１９】同じく納品書を切り取った状態を示す斜視図
【符号の説明】
【００５３】
１０，３０，５０…給与袋作成用シート
１１，３１、５１，７１…基材シート
１２，３２，５２，７２…粘着性領域
１３，３３，５３，７３…第１のマイクロミシン目
１４，３４，５４，７４…折り目
１５，３５，５５，７５…第２のマイクロミシン目
１６…収納部
２０，４０、５０，７０…印字用シート
２１，４１，７１…第１の領域
２２，４２，７２…第２の領域
２３，４３，８３…第１のマイクロミシン目
２４，４４，８４…切れ目
２５，４５，８５…第２のマイクロミシン目
２６，４６…剥離層
７０…封筒作成用シート
８７…第３のマイクロミシン目
【図１】
0004617510.tif 000002
【図２】
0004617510.tif 000003
【図３】
0004617510.tif 000004
【図４】
0004617510.tif 000005
【図５】
0004617510.tif 000006
【図６】
0004617510.tif 000007
【図７】
0004617510.tif 000008
【図８】
0004617510.tif 000009
【図９】
0004617510.tif 000010
【図１０】
0004617510.tif 000011
【図１１】
0004617510.tif 000012
【図１２】
0004617510.tif 000013
【図１３】
0004617510.tif 000014
【図１４】
0004617510.tif 000015
【図１５】
0004617510.tif 000016
【図１６】
0004617510.tif 000017
【図１７】
0004617510.tif 000018
【図１８】
0004617510.tif 000019
【図１９】
0004617510.tif 000020